(57)【要約】      （修正有）【課題】低周波で、最大電圧を低くしなくても、痛みやショックを少なくして用いることができる周波治療器を提供する。【解決手段】本発明に係る周波治療器においては、一対の電極パッド間に、波形メモリ２２に記憶される電圧波形の電流を流すようにされ、同一の周波数で連続的に、電極パッド間に印加される電圧波形における立上り時のスパイク部及び立下り時のスパイク部を正確に再生でき、且つ、両スパイク部の間の電圧値を０〜±５Ｖとして、電極パッド貼付部におけるショックを抑制するとともに、消費電力量を大きく低減させることができるという効果を有する。【選択図】図５
2019042045.tif 000002
【特許請求の範囲】
【請求項１】
患部を間にして、人体に接触可能な少なくとも一対の電極パッドと、これら対をなす電極パッド間に、規則的に反復される時間間隔で向きを逆転し、交互に正側及び負側に電圧が増減する電圧波形の電流を流すようにされた本体装置部と、この本体装置部に接続され、前記対をなす電極パッド間に印加される電圧の大小を表示する表示部、及び、前記本体装置部を操作するための操作・表示パネルと、を備える周波治療器であって、
前記本体装置部は、周波数が異なる複数種類の電圧波形が記憶された波形メモリと、
前記波形メモリに記憶された複数種類の電圧波形を選択的に読出して、その電圧波形を繰返し、且つ、連続的に用いて電流を前記対をなす電極パッドに流すようにされた中央制御装置と、
を有してなり、
前記波形メモリは、電圧波形を、前記複数種類の周波数における各周波数毎に、サンプリング周波数が１９２ｋＨｚ以上、量子化ビット数が２４ビット以上の矩形波からなる波形データとして記憶していて、
前記中央制御装置は、前記波形メモリから１種類の周波数毎に前記波形データを読み出して、その１種類の周波数につき予め設定された時間の間に、前記波形データをＤ／Ａコンバータでアナログ波形に変換して、前記電圧波形の電流を前記対をなす電極パッド間に流すように構成され、
前記波形メモリに記憶された波形データは、周波数が少なくとも１０００Ｈｚ以下の範囲では、１波形期間内で、０Ｖレベルから立上り転移期間中に正の領域に向かう立上り部、立上り終りのスパイク形状のパルス幅３０μｓｅｃ〜２００μｓｅｃの先鋭トップピーク部、前記電圧が０Ｖを超えて５Ｖ以下のハイレベル部を経て、立下り転移期間中に、負の領域に向かう立下り部、立下り終りのスパイク形状のパルス幅３０μｓｅｃ〜２００μｓｅｃの先鋭ボトムピーク部、前記電圧が０Ｖより低く−５Ｖ以上のローレベル部を経て次の立上り部に至る波形とされた
ことを特徴とする周波治療器。
【請求項２】
請求項１において、
前記先鋭トップピーク部直後で、前記ハイレベル部の直前のピーク部直後立下り部と、前記先鋭ボトムピーク部直後で、前記ローレベル部の直前のピーク部直後立上り部と、を有する
ことを特徴とする周波治療器。
【請求項３】
請求項２において、
前記ピーク部直後立下り部の電圧が、前記先鋭トップピーク部の電圧の５０％〜６５％、前記ピーク部直後立上り部の電圧が、前記先鋭ボトムピーク部の電圧の５０％〜６５％とされた
ことを特徴とする周波治療器。
【請求項４】
請求項１乃至３のいずれかにおいて、
前記波形データは、周波数が１０００Ｈｚ以下の範囲で、前記波形とされた
ことを特徴とする周波治療器。
【請求項５】
請求項１乃至４のいずれかにおいて、
前記波形メモリは、前記波形データを記憶する複数の記憶領域を有し、前記複数の記憶領域における１つの記憶領域は、１種類の周波数毎に、波形データが繰返し連続的に前記設定された時間分記憶され、前記中央制御装置は、前記波形メモリにおける、１つの記憶領域に記憶された前記設定された時間分の波形データを１回で読み出して、アナログ波形に変換して、前記対をなす電極パッドに流すようにされた
ことを特徴とする周波治療器。
【請求項６】
請求項１乃至４のいずれかにおいて、
前記波形メモリは、前記波形データを記憶する複数の記憶領域を有し、前記複数の記憶領域における１つの記憶領域は、１種類の周波数毎に、波形データが繰返し連続的に前記設定された時間分記憶され、前記中央制御装置は、前記波形メモリにおける、１つの記憶領域に記憶された前記設定された時間分の波形データを２乃至５回で読み出して、アナログ波形に変換して、順次、前記対をなす電極パッドに流すようにされた
ことを特徴とする周波治療器。
【請求項７】
請求項１乃至６のいずれかにおいて、
前記中央制御装置には、２以上の異なる周波数セット選択コード及び、前記周波数セット選択コード毎にこれに対応して予めセットされた複数種類の周波数の波形データ、その波形データを読み出す場合の順番が記憶されていて、前記周波数セット選択コードが入力されたとき、対応して予めセットされた複数種類の周波数の波形データを前記予め決められている順番で順次前記設定時間分ずつ読出して、且つ、出力するように構成された
ことを特徴とする周波治療器。
【請求項８】
請求項７において、
前記中央制御装置は、前記周波数セット選択コード、これに対応する周波数の種類、及び、これらの周波数の波形データの出力順を記憶しているコード別対応周波数・順番記憶手段と、
前記周波数セット選択コードを選択する周波数セット選択コード信号受付手段と、前記受付けられた周波数セット選択コード信号に基づいて、前記コード別対応周波数・順番記憶手段に記憶された順番で、前記周波数セット選択コード毎に、周波数の波形データを前記波形メモリから読出すコードグループ電圧波形読出し手段と、
前記コードグループ電圧波形読出し手段により読出した波形データを前記の順番で出力する電圧波形出力手段と、を有してなり、
前記周波数セット選択コード信号受付手段は、前記周波数セット選択コードを複数種類順次受付けるようにされ、且つ、前記コードグループ電圧波形読出し手段は、前記周波数セット選択コード信号受付手段により受付けられた周波数セット選択コードの順で、周波数セット選択コード毎に、波形データを読出すようにされた
ことを特徴とする周波治療器。
【請求項９】
請求項８において、
前記本体装置部は、
前記中央制御装置と、
前記波形メモリと、
前記中央制御装置からの、波形データからなるデジタル出力をアナログ出力に変換するＤ／Ａコンバータと、前記Ｄ／Ａコンバータからのアナログ出力に電圧を付与して前記電極パッド間に印加される電圧波形を形成する２つの出力ドライブと、
前記出力ドライブに、直流を供給する直流電源部と、
前記２つの出力ドライブに独立して接続される２対の電極パッドと、
を有し、
前記中央制御装置は、前記２つの出力ドライブの一つのみに直流を供給し、他の一つの出力ドライブに直流を供給しない片方出力モードと、２つの出力ドライブに同一の電圧波形を形成するように同時に直流を供給する両方出力モードを選択するように構成された
ことを特徴とする周波治療器。
【請求項１０】
請求項９において、
前記中央制御装置は、最大で１１種類の周波数セット選択コードについて、その順番及び、周波数セット選択コード毎の片方出力モードか両方出力モードかの選択設定を受付ける周波数セット選択コード出力順・出力モード選択設定受付手段と、
前記受付けられた周波数セット選択コード、出力順、出力モード選択設定信号を記憶する周波数セット選択コード出力順・出力モード選択設定記憶手段と、
を有することを特徴とする周波治療器。
【発明の詳細な説明】
【技術分野】
【０００１】
本発明は、周波治療器に関する。
【背景技術】
【０００２】
特許文献１に示されるように、患部を間にして、人体に接触可能な一対の電極パッドと、これら一対の電極パッド間に、規則的に反復される時間間隔で向きを逆転し、交互に正側及び負側に電圧が増減する電圧波形の電流を流すようにされた制御部とを備えた周波治療器が開示されている。
【０００３】
又、この種の周波治療器において、周波数が異なる複数の電圧波形の電流を順次患部に印加することも知られている。この場合、各電圧波形を一種類毎に同一波形を繰返して用いて、一定時間ずつ電流を印加するようにされている。
【０００４】
従来の周波治療器においては、１周波ごとに、その都度電圧波形を形成したり、波形メモリに格納された波形データを読出し、そのデータをＤ／Ａコンバータでアナログ波形に変換して所定の波形を出力するようにされている。
【０００５】
この場合、電圧波形あるいは波形データは、パルス幅変調ＰＷＭ（Pulse Width Modulation）で生成したデジタル波形であり、アナログ波形をそのまま用いる場合と比較して、立上り部及び立下り部のスパイク状部分は、デジタル波形ではその電子化ビット数及びサンプリング周波数に依存するが、特に波長が短くなったとき、該スパイク状部分が消えてしまうという状態が生じた。
【０００６】
スパイク部は、従来ノイズとされていたので、その限りでは問題がないが、最近、周波治療器において、電圧がより高い場合に、人体に与える衝撃が大きくなり、この衝撃が大きい程、例えば、疼痛緩和効果が大きくなると認識されるようになっている。
【０００７】
このようなスパイク部は、細幅の矩形波を用いて形成できることは容易に想定できる。しかしながら、スパイク部のみで、これに続く、ハイレベル部又はローレベル部が存在しないと疼痛緩和効果が少ないように感じられるという結果が得られた。これは、スパイク部に続く部分（ハイレベル部、ローレベル部）の電圧（絶対値）が、スパイク部のトップピーク部又はボトムピーク部による衝撃を維持しているためではないかと考えられる。
【０００８】
一方、デジタル波形による場合、２０００Ｈｚ以下、特に、１０００Ｈｚ以下の低周波の領域において、使用中に電圧を上げようとすると、例えば、電圧が１０段階（レベル１〜レベル１０）で可変であっても、レベル３程度を超えると、電気に痺れるような状態となり、人体にショックや痛みが生じることがあった。
【０００９】
この場合、レベル１あるいは２、人によってはレベル３を超えないようにして周波治療器を用いざるを得ないので、スパイク部の電圧も、レベル１０まで上げた場合の１／３以下となってしまい、疼痛緩和効果が少ないと感じられる。同様に、先鋭トップピーク部のパルス幅についても、適切な範囲が存在すると考えられる。
【００１０】
更に、治療の現場では、１つのコード番号（説明後述）の治療が終わると、次のコード番号を、患者本人あるいは補助者が新たにセットするという作業が必要となり、煩雑であり、また、次のコード番号をセットするまでの間に空白が生じてしまうという問題点があった。
【先行技術文献】
【特許文献】
【００１１】
【特許文献１】米国特許第５６５８３２２号公報
【発明の概要】
【発明が解決しようとする課題】
【００１２】
本発明は、立上り及び立下りの急峻なスパイク状の波形を、いわゆる音源チップと称される波形メモリで確実に再生できるようにデジタル波形を用いて記録し、且つ、スパイク形状の先鋭トップピーク部の後のハイレベル部、及び、先鋭ボトムピーク部の後のローレベル部の電圧（絶対値）を低くしつつも、先鋭トップピーク部又は先鋭ボトムピーク部により生体に与える衝撃を維持して、低周波領域でも、患者の皮膚に痛みを与えることを非常に少なくして通電することができるようにした周波治療器を提供することを課題とする。
【００１３】
また、本発明は、消費電力量が少なく、携帯用に好適な周波治療器を提供することを課題とする。
【００１４】
更に、本発明は、１回の治療毎にコード番号をセットする必要が無く、患者の負担が少ない周波治療器を提供することを課題とする。
【課題を解決するための手段】
【００１５】
本発明は、患部を間にして、人体に接触可能な少なくとも一対の電極パッドと、これら対をなす電極パッド間に、規則的に反復される時間間隔で向きを逆転し、交互に正側及び負側に電圧が増減する電圧波形の電流を流すようにされた本体装置部と、この本体装置部に接続され、前記対をなす電極パッド間に印加される電圧の大小を表示する表示部、及び、前記本体装置部を操作するための操作・表示パネルと、を備える周波治療器であって、前記本体装置部は、周波数が異なる複数種類の電圧波形が記憶された波形メモリと、前記波形メモリに記憶された複数種類の電圧波形を選択的に読出して、その電圧波形を繰返し、且つ、連続的に用いて電流を前記対をなす電極パッドに流すようにされた中央制御装置と、を有してなり、前記波形メモリは、電圧波形を、前記複数種類の周波数における各周波数毎に、サンプリング周波数が１９２ｋＨｚ以上、量子化ビット数が２４ビット以上の矩形波からなる波形データとして記憶していて、前記中央制御装置は、前記波形メモリから１種類の周波数毎に前記波形データを読み出して、その１種類の周波数につき予め設定された時間の間に、前記波形データをＤ／Ａコンバータでアナログ波形に変換して、前記電圧波形の電流を前記対をなす電極パッド間に流すように構成され、前記波形メモリに記憶された波形データは、周波数が少なくとも１０００Ｈｚ以下の範囲では、１波形期間内で、０Ｖレベルから立上り転移期間中に正の領域に向かう立上り部、立上り終りのスパイク形状のパルス幅３０μｓｅｃ〜２００μｓｅｃの先鋭トップピーク部、前記電圧が０Ｖを超えて５Ｖ以下のハイレベル部を経て、立下り転移期間中に、負の領域に向かう立下り部、立下り終りのスパイク形状のパルス幅３０μｓｅｃ〜２００μｓｅｃの先鋭ボトムピーク部、前記電圧が０Ｖより低く−５Ｖ以上のローレベル部を経て次の立上り部に至る波形とされたことを特徴とする周波治療器により、上記課題を解決するものである。
【００１６】
ここで、本発明では、波形がスパイク形状の部分であるスパイク部を先鋭トップピーク部及び先鋭ボトムピーク部としている。また、「周波」は、１〜１０００Ｈｚとされる低周波、１０００〜１００００Ｈｚとされる中周波、及び、１００００Ｈｚ以上と言われるが定義が明確でない高周波、を含むとされるが、本発明に係る周波治療器では、１Ｈｚから人体に影響を与えるとされる３００００Ｈｚまでの高周波を含むものとする。
【発明の効果】
【００１７】
本発明に係る周波治療器においては、同一の周波数で連続的に、電極パッド間に印加される電圧波形における立上り時のスパイク部及び立下り時のスパイク部を正確に再生でき、且つ、両スパイク部の間の電圧値を０〜±５Ｖとして、電極パッド貼付部におけるショックを抑制するとともに、消費電力量を大きく低減させることができるという効果を有する。
【図面の簡単な説明】
【００１８】
【図１】本発明の実施例１に係る周波治療器を示すブロック図
【図２】同周波治療器の外観を示す斜視図
【図３】同周波治療器の操作・表示パネルを示す正面図
【図４】同周波治療器の中央制御装置と波形メモリの構成の概略を示すブロック図
【図５】同波形メモリに記憶された電圧波形の例を示す線図
【図６】同波形メモリに記憶された電圧波形におけるサンプリング周波数と量子化ビット数との関係を示す線図
【図７】同周波治療器による治療の過程を示すフローチャート
【図８】同周波治療器のパッドの貼付位置の例を示す図
【図９】同周波治療器におけるコード変更時の操作パネルの表示例を示す正面図
【図１０】同じくコード新規登録時の操作パネルの表示例を示す正面図
【図１１】同じく対象コード削除時の操作パネルの表示例を示す正面図
【図１２】同じく全コード一括削除時の操作パネルの表示例を示す正面図
【図１３】本発明の実施例２に係る携帯用の周波治療器を模式的に示す平面図
【図１４】同周波治療器の外観を示す正面図
【図１５】同周波治療器の中央制御装置と波形メモリの構成の概略を示すブロック図
【図１６】波形メモリに１分間分ずつ分割して電圧波形を記憶した状態を示す図５と同様の線図
【発明を実施するための形態】
【００１９】
以下、本発明の実施例について図面を参照して詳細に説明する。
【実施例１】
【００２０】
図１（ブロック図）及び図２（外観を示す斜視図）に示されるように、本発明の実施例１に係る周波治療器１０は、患部を間にして人体に接触可能な２対の電極パッド１２、１２及び１４、１４と、これら対をなす電極パッド１２、１２間及び／又は電極パッド１４、１４間（以下「電極パッド１２、１２間」と省略して示す）に規則的に反復される時間間隔で向きを逆転し、交互に正側及び負側に電圧が増減する電圧波形の電流を流すようにされた本体装置部２０と、この本体装置部２０に接続され、該本体装置部２０を操作すると共に各種表示を行うための操作・表示パネル１６と、例えば赤外線により送受信を行うＩＲリモコン受信部１７と、該ＩＲリモコン受信部１７に対して操作信号を送信するためのＩＲリモコン送信器１８と、操作・表示パネル１６に含まれる電源スイッチ１６Ａを介して入力されるＡＣ１００Ｖの入力を整流して、本体装置部２０に出力するためのスイッチング電源アダプタ２８と、を備えて構成されている。
【００２１】
前記操作・表示パネル１６は、図３に詳細に示す如く、電源スイッチ１６Ａと、各設定スイッチ群１６Ｂと、コード情報表示部１６Ｃと、治療前と設定中は設定されているコード番号の合計時間を表示し、治療中は治療の残時間を点滅表示する残り治療時間表示部１６Ｄと、治療中に電流を表示する電流表示部１６Ｅと、治療の開始（ＳＴＡＲＴ）／一時停止（ＰＡＵＳＥ）／再開を行うためのスタート／一時停止スイッチ１６Ｆと、治療中に出力レベルを増減するための出力増減スイッチ１６Ｇと、例えばバー表示で０〜３１の３２段階を表示（０＝ＯＦＦ）する出力表示部１６Ｈと、例えば黄色の出力中（ＯＵＴ）表示ＬＥＤ１６Ｉとを備えている。
【００２２】
前記各設定スイッチ群１６Ｂは、設定値をセットするためのセット（ＳＥＴ）スイッチ１６Ｂ１と、出力ＣＨを選択するための出力チャネル（ＣＨ）選択スイッチ１６Ｂ２と、コード値を設定するためのコード設定ダイヤル１６Ｂ３と、設定を記憶するためのレコード（ＲＥＣＯＲＤ）スイッチ１６Ｂ４と、例えば３秒以上長押しされると、治療前は設定済みコードを全て削除し、変更中は現在のコードを削除するためのクリア（ＣＬＥＡＲ）スイッチ１６Ｂ５とを備えている。
【００２３】
前記コード情報表示部１６Ｃは、コード番号を選択するためのＮｏアップダウンスイッチ１６Ｃ１と、治療前は該Ｎｏアップダウンスイッチ１６Ｃ１で選択されたコード番号を、例えば１から１１まで表示し、治療中は現在治療中のコード番号を表示するコード番号表示部１６Ｃ２と、治療前はＮｏアップダウンスイッチ１６Ｃ１により選択された番号のＣＨ設定を表示し、変更中は出力チャネル選択スイッチ１６Ｂ２で選択された出力ＣＨを表示し（ＣＨ１、ＣＨ２同時の場合には両方点灯、コード未登録「−−−−」時はＣＨ１、ＣＨ２両方消灯）、治療中は現在のコード番号の選択ＣＨを表示する出力ＣＨ表示部１６Ｃ３と、Ｎｏアップダウンスイッチ１６Ｃ１により選択された番号のコード値を表示するコード値表示部１６Ｃ４と、治療前はＮｏアップダウンスイッチ１６Ｃ１により番号毎に登録されたコード時間を例えば分単位で表示し、コード変更中はコード設定ダイヤル１６Ｂ３により設定されたコードに登録されている時間を表示し、治療中は現在治療中のコードの残り時間を、例えば点滅表示するコード時間表示部１６Ｃ５とを備えている。
【００２４】
前記操作・表示パネル１６は、例えば全体を一枚の液晶タッチパネルで構成することもできる。
【００２５】
本体装置部２０は、図１に示したように、周波数が異なる複数の電圧波形が記憶された波形メモリ２２と、この波形メモリ２２に記憶された複数種類の電圧波形を順次読み出して、その電圧波形の電流を、対をなす電極パッド１２、１２間に流すようにされた中央制御装置（以下ＣＰＵ）４０と、を備えている。
【００２６】
波形メモリ２２は、いわゆる音源メモリであり、電圧波形を、複数種類の周波数における各周波数毎に、サンプリング周波数が１９２ｋＨｚ以上、量子化ビット数が２４ビット以上で形成された波形データとして記憶している（詳細後述）。
【００２７】
ＣＰＵ４０は、波形メモリ２２から１種類の周波数毎に波形データを読み出して、その１種類の周波数につき予め設定された時間の間、波形データをＤ／Ａコンバータ２４に出力することにより、ここでアナログ波形に変換して、電圧波形の電流を電極パッド１２、１２間に流すように構成されている。
【００２８】
本体装置部２０は、前記の波形メモリ２２及びＤ／Ａコンバータ２４の他に、一対の出力ドライブ２６Ａ、２６Ｂを含む出力ドライブセット２６、ＤＣ／ＤＣコンバータ３０、レギュレータ３２、告知音出力系３６、マイナス電圧制御部３８を備えている。
【００２９】
Ｄ／Ａコンバータ２４は、ＣＰＵ４０が波形メモリ２２から、サンプリング周波数が１９２ｋＨｚ以上、量子化ビット数が２４ビット以上で読み出した波形データをＤ／Ａ変換して、アナログ波形で出力ドライブ２６Ａ、２６Ｂに出力するようにされている。
【００３０】
出力ドライブ２６Ａ、２６Ｂは、Ｄ／Ａコンバータ２４からの出力を、前記のアナログ波形に基づいて変化させて、電極パッド１２、１２及び１４、１４に各々出力するようにされている。
【００３１】
ＣＰＵ４０は、操作・表示パネル１６の出力ＣＨ選択スイッチ１６Ｂ２の設定に応じて出力ドライブ２６Ａ、２６Ｂが同時に作動されるモード、一方の作動終了後に他方が続けて作動されるモード、あるいは他方が続けて設定回数だけ繰り返して同一コードで作動されるモードとなる指令信号を出力ドライブ２６Ａ、２６Ｂに出力できるようにされている。
【００３２】
ＤＣ／ＤＣコンバータ３０は、スイッチング電源アダプタ２８からの直流出力を所定の電圧に降圧するものであり、また、レギュレータ３２は、スイッチング電源アダプタ２８からの出力電圧及び電流が異常に増大する時に、直流出力をＯＦＦとするものである。
【００３３】
プログラムメモリ３４には、ＣＰＵ４０を動作させるためのプログラムが内蔵されている。告知音出力系３６は、例えば電源投入時の起動音、治療開始時の治療開始音、治療終了時の治療終了音、エラー発生時（過電流、コード未登録開始時等）のエラー音、出力レベル操作時の出力レベル操作音等を再生する。具体的には、治療が終了したときその他の、患者に知らせるべき状態が発生した時に、例えば、「終了しました」、「一時中断します」等の告知内容が音声によってスピーカー３６Ｃから知らされるように構成されている。
【００３４】
この音声情報は、波形メモリ２２の余り記憶領域２２−Ａ（図４参照）に設定されていて、告知すべき状態になったとき、ＣＰＵ４０からの指示信号に基づいて、波形メモリ２２から、告知音出力系３６におけるＤ／Ａコンバータ３６Ａに送られ、ここで、アナログ信号に変換された後、アンプ３６Ｂにより増幅され、スピーカー３６Ｃで音声として出力されるものである。
【００３５】
マイナス電圧制御部３８は、後述のように電圧波形における０ボルトレベルを、波形図における中間位置から、最大電圧の５％−１０％をプラス側にオフセットさせることにより、電極パッド１２、１２から人体に入り込む電子の量が、体外に流出する電子の量よりも多くなるようにして、電子不足による人体への影響を抑制するものである。ここで、５％以上としたのは、電源電圧の変動があっても、人体の電子不足を抑制でき、１０％以下としたのは、電子過剰を抑制するためである。
【００３６】
ＩＲリモコン送信器１８は、図２に示したように、スタート／一時停止スイッチ１６Ｆと同様のリモコンスタート／一時停止スイッチ１８Ｆと、出力増減スイッチ１６Ｇと同様のリモコン出力増減スイッチ１８Ｇとを備えている。このＩＲリモコン送信器１８は、出力ＣＨ毎に、２ＣＨの場合は計２個備えられている。なお、リモコンは赤外線によるものに限定されない。
【００３７】
図２の符号１２Ａ、１４Ａは、電極パッド１２、１４のプラグ１２Ｂ、１４Ｂを差し込むためのジャックをそれぞれ示す。ジャック１２Ａ、１４Ａは第１及び第２出力チャネルを構成している。
【００３８】
次に、ＣＰＵ４０の構成及び波形メモリ２２について説明する。
【００３９】
ＣＰＵ４０は、図４に示されるように、表示信号出力手段４１と、操作スイッチ信号受付手段４２と、出力チャネル選択信号受付手段４３と、周波数セット選択コード信号受付手段４４と、操作信号受付手段４５と、周波数セット選択コード出力順・出力モード（片方、交互、同時）選択設定受付手段４６と、コード表示信号出力手段４７と、コードグループ電圧波形読出し手段４８と、電圧波形出力手段４９と、ＤＣ／ＤＣコンバータ駆動手段５０と、電源ＯＮ／ＯＦＦ手段５１と、マイナス電圧制御手段５２と、操作スイッチ信号記憶手段５３と、操作信号記憶手段５４と、出力チャネル選択信号記憶手段５５と、読出し電圧波形記憶手段５６と、コード別対応周波数順番記憶手段５７と、周波数セット選択コード信号記憶手段５８と、周波数セット選択コード出力順・出力モード（片方、交互、同時）選択設定記憶手段５９と、出力中周波数記憶手段６０と、を備えて構成されている。
【００４０】
表示信号出力手段４１は、操作・表示パネル１６における出力増減スイッチ１６Ｇ及びＮｏアップダウンスイッチ１６Ｃ１により操作された出力強度及びコード番号を出力表示部１６Ｈ、コード番号表示部１６Ｃ２に表示させるものである。出力チャネル選択スイッチ１６Ｂ２は、それ自体がタッチパネルとされていて、タッチ毎に「１」から「２」、「２」から「１」を交互に表示するようにされている。
【００４１】
操作スイッチ信号受付手段４２は、操作・表示パネル１６の各設定スイッチ群１６Ｂからの操作信号を受付けるように構成されている。又、この受付けられた信号は、操作スイッチ信号記憶手段５３に記憶されるようになっている。
【００４２】
操作信号受付手段４５は、操作・表示パネル１６及びＩＲリモコン送信器１８から送信された操作信号を受付けるものであり、受付けられた操作信号、具体的には出力強度信号及び後述のコード番号信号は、操作信号記憶手段５４に記憶されるようになっている。
【００４３】
出力チャネル選択信号受付手段４３は、出力ＣＨ選択スイッチ１６Ｂ２の操作によって決定される出力チャネル選択信号を受付け、且つ、この信号は、出力チャネル選択信号記憶手段５５に記憶されるようになっている。
【００４４】
コード表示信号出力手段４７は、操作スイッチ信号記憶手段５３に記憶された表示信号に基づいて、入力されたコード番号の情報をコード情報表示部１６Ｃに表示するように構成されている。
【００４５】
ここで、コード別対応周波数順番記憶手段５７には、コードに対応して、コード毎に、該コードに含まれるとして、予め決められている複数の周波数及びその出力順が記憶されている。例えば表１に示されるように、周波数セット選択コードと第１〜第ｎ周波数（ｎは２以上の自然数）が組合せて記憶されている。具体的には、コード番号１２３１については、２０Ｈｚ、８８０Ｈｚ、５ｋＨｚ、・・・、１０ｋＨｚが、この順で記憶されている。
【００４６】
【表１】
2019042045.tif 000003
【００４７】
前記周波数セット選択コード出力順・出力モード選択設定受付手段４６は、コード設定ダイヤル１６Ｂ３の設定順及び出力ＣＨ選択スイッチ１６Ｂ２の操作によって周波数セット選択コード出力順・出力モード（片方、交互、同時）の選択設定を受付け、且つ、この信号は、周波数セット選択コード出力順・出力モード選択設定記憶手段５９に記憶されるようになっている。
【００４８】
コードグループ電圧波形読出し手段４８は、入力されたコード信号及びコード別対応周波数順番記憶手段５７及び周波数セット選択コード出力順・出力モード選択設定記憶手段５９に記憶された情報に基づいて、該コードに含まれる複数の周波数の電圧波形を、読出し電圧波形記憶手段５６に記憶された出力順及び出力モード（片方、交互、同時）に従って波形メモリ２２から順に読み出すように構成されている。
【００４９】
電圧波形出力手段４９は、コードグループ電圧波形読出し手段４８によって読み出された周波数の電圧波形のデータを、Ｄ／Ａコンバータ２４に出力するようにされている。
【００５０】
ＤＣ／ＤＣコンバータ駆動手段５０は、出力増減スイッチ１６Ｇにより操作された出力強度に従ってＤＣ／ＤＣコンバータ３０を駆動するように構成されている。
【００５１】
又、電源ＯＮ／ＯＦＦ手段５１は、電源スイッチ１６Ａの操作に従って、スイッチング電源アダプタ２８へのＡＣ１００Ｖの入力をＯＮ／ＯＦＦするようにされている。
【００５２】
出力中周波数記憶手段６０は、電圧波形出力手段４９から現在出力されている波形データにおける周波数を記憶するようにされている。
【００５３】
又、操作スイッチ信号受付手段４２は、周波治療器１０による治療中に、ＩＲリモコン送信器１８のリモコンスタート／一時停止スイッチ１８Ｆの操作により、治療を中断する中断信号が入力された時、レギュレータ３２により、ＤＣ／ＤＣコンバータ３０をＯＦＦとして、出力ドライブセット２６からの電流供給を中断するように構成されている。
【００５４】
又、この時、コードグループ電圧波形読出し手段４８は、出力中周波数記憶手段６０に記憶された、中断時の周波数情報を読み出して、中断から治療に戻った時に、該周波数の電圧波形を読み出すように構成されている。
【００５５】
波形メモリ２２には、Ｎ（Ｎは２以上の自然数）個の波形記憶領域２２−１〜２２−Ｎが設けられていて、且つ、この実施例における周波治療器１０で用いる治療周波数はＮ種類であり、このＮ種類の周波数の電圧波形は１種類毎に波形記憶領域２２−１〜２２−Ｎのいずれかに記憶されている。
【００５６】
図５に、波形メモリ２２の各波形記憶領域における電圧波形の記録状態の例を示す。図５は、例えばコード番号１２３１の場合の、これに属する２０Ｈｚ、８８０Ｈｚ、５ｋＨｚ、及び、１０ｋＨｚの４種類の周波数それぞれの電圧波形の状態を模式的に示している。
【００５７】
波形メモリ２２の各波形記憶領域２２−１〜２２−Ｎの一つ一つには、同一の周波数で、且つ同一波形の電圧波形が、連続的に、且つ繰り返し、３分間分ずつ記憶されている。例えば、周波数が２０Ｈｚの場合は、３（分）×６０（秒）×２０＝３６００個の同一の電圧波形が繰返し記憶されている。各電圧波形間の距離は一定とされ、隣接する波形との重なり合いや、離間が存在しないようにされている。
【００５８】
又、各電圧波形は、基本的には、図６に示されるような状態であって、量子化ビット数２４ビット、サンプリング周波数１９２ｋＨｚで示され、サンプリング周波数の逆数の時間に分割されたデジタル信号によって構成されている。例えば、周波数が２０Ｈｚの場合は、その逆数の１／２０秒間分の波形が、１９２ｋＨｚ／２０Ｈｚ＝９６００個のパルスによって構成される。
【００５９】
また、ハイレベル部ＨＬ、ローレベル部ＬＬの電圧は、それぞれ最大値／最小値が＋５Ｖ、−５Ｖとされている。
【００６０】
図６に拡大して示されるように、波形メモリ２２の各波形記憶領域に記憶された波形データは、１波形期間内で、立上り転移期間中に正の領域に向かう立上り部Ｕｐ、立上り終りのスパイク形状の先鋭トップピーク部Ｔｐ、先鋭トップピーク部Ｔｐよりも小さい値のハイレベル部ＨＬを経て、立下り転移期間中に、負の領域に向かう立下り部Ｄｗ、立下り終りのスパイク形状の先鋭ボトムピーク部Ｂｐ、先鋭ボトムピーク部Ｂｐよりも大きい値のローレベル部ＬＬを経て次の立上り部Ｕｐに至る波形Ｄｆとされている。
【００６１】
先鋭トップピーク部Ｔｐと先鋭ボトムピーク部Ｂｐのそれぞれの部分の先端間の高さ（絶対値）は、最大電圧を示し、且つ、これら先鋭トップピーク部Ｔｐと先鋭ボトムピーク部Ｂｐの電圧は、プラス側又はマイナス側に各々量子化ビット数２４ビットの最大値で表せるようにされている。図６の波形では、先鋭トップピーク部Ｔｐと先鋭ボトムピーク部Ｂｐはそれぞれ３５Ｖ、−３５Ｖ、最大電圧は｜＋３５｜＋｜−３５｜＝７０Ｖであった。また、先鋭トップピーク部Ｔｐと先鋭ボトムピーク部Ｂｐの最大パルス幅Ｗｔｐ、Ｗｂｐはそれぞれ約１１０μｓｅｃであった。
【００６２】
ここで、上記波形Ｄｆにおける先鋭トップピーク部Ｔｐと先鋭ボトムピーク部Ｂｐのパルス幅Ｗｔｐ、Ｗｂｐは、周波数が１０００Ｈｚ以下の範囲では、３０μｓｅｃ〜２００μｓｅｃとする。３０μｓｅｃ以上としたのは、３０μｓｅｃ未満では、例えば疼痛緩和の効果が非常に小さかったり、又は、患者に、治療を受けているという実感がなかったりするためである。
【００６３】
最大幅については、例えば３００μｓｅｃとすると、患者に与える衝撃が大きくなり、不快感が生じた。
【００６４】
周波数との関係では、例えば１０００Ｈｚでは、１波形の波長の時間が０．００１ｓｅｃ＝１０００μｓｅｃとなり、そのうちの３００μｓｅｃ×２＝６００μｓｅｃが先鋭トップピーク部Ｔｐと先鋭ボトムピーク部Ｂｐのパルス幅Ｗｔｐ、Ｗｂｐとなり、先鋭トップピーク部Ｔｐと先鋭ボトムピーク部Ｂｐ間の０〜５Ｖの部分のパルス幅が先鋭トップピーク部Ｔｐと先鋭ボトムピーク部Ｂｐよりも小さくなってしまい、消費電力の低減効果が小さくなるとともに先鋭トップピーク部Ｔｐと先鋭ボトムピーク部Ｂｐにより患部に正確な衝撃を与える効果が低下するからである。
【００６５】
なお、先鋭トップピーク部Ｔｐと先鋭ボトムピーク部Ｂｐのパルス幅Ｗｔｐ、Ｗｂｐを各々６０μｓｅｃ以下とした場合、１０００Ｈｚを超えて２０００Ｈｚまでの間でも上記の消費電力の低減効果がある。
【００６６】
又、ＣＰＵ４０は、操作・表示パネル１６から、出力ＣＨ選択スイッチ１６Ｂ２の切換えにより２つの異なる周波数セット選択コードが、周波数セット選択コード信号受付手段４４を介して入力可能とされ、且つ、周波数セット選択コードは、周波数セット選択コード信号記憶手段５８に記憶されるように構成されている。入力された周波数セット選択コードに対応して予めセットされた複数種類の周波数の波形データが、その波形データを記憶する波形メモリ２２の波形記憶領域２２−１〜２２−Ｎから予め決められている順番で順次設定時間分ずつ読出して、且つ、出力するように構成されている。
【００６７】
更に、ＣＰＵ４０は、周波数セット選択コード、これに対応する周波数の種類、及び、これらの周波数の波形データの出力順を記憶しているコード別対応周波数順番記憶手段５７と、このコード別対応周波数順番記憶手段５７及び周波数セット選択コード出力順・出力モード選択設定記憶手段５９に記憶された順番で、周波数の波形データを、波形メモリ２２から読み出すコードグループ電圧波形読出し手段４８と、該コードグループ電圧波形読出し手段４８により読み出した波形データを前記の順番で出力する電圧波形出力手段４９とを備えて構成されている。
【００６８】
出力ドライブセット２６は、この実施例１においては２個設けられ、ＣＰＵ４０は、出力ＣＨ選択スイッチ１６Ｂ２によって出力チャネルを選択し、第１出力チャネルと第２出力チャネルの各々について、Ｎｏアップダウンスイッチ１６Ｃ１により、選択された「０１」〜「１１」の１１種類のコード番号毎に異なるコードを設定し、２つの出力ドライブ２６Ａ、２６Ｂのうちの、例えば最初に出力ドライブ２６Ａにのみ直流を供給し、この出力ドライブ２６Ａによる直流の供給が終了してから、他の出力ドライブ２６Ｂに直流を供給することができるように構成されている。或いは、第１出力チャネルと第２出力チャネルから交互に出力したり、同時に出力して２人に対応させたり、１人に出力した２つの出力を干渉させることもできる。
【００６９】
本実施例１においては、第１チャネルと第２チャネルの出力ドライブ２６Ａ、２６Ｂが独立して完全並列２チャネルとされているので、１チャネルを単純に分岐して２チャネル化した場合に比べて、一方のチャネルに電流が多く流れても他方のチャネルの電流が減ることはない。又、２つのチャネルに別のコードの電流を流すこともできる。
【００７０】
次に、図７を参照して、上記実施例に係る周波治療器１０により、治療する過程について説明する。
【００７１】
まずステップＳ１００で、疼痛緩和対象に応じて、図８に例示する如く、所定部位に電極パッド１２（又は１４）を貼付する。図８（Ａ）は、一対の電極パッド１２を対象の右脇腹に貼付した例、図８（Ｂ）は、一対の電極パッド１４を対象の左右の脇腹に貼付した例である。なお、電極パッド１２、１４の位置は、これらに限定されず、例えば両足の裏でもよい。
【００７２】
治療を開始する際には、まずステップＳ１０１において電源スイッチ１６ＡをＯＮすると電源が入り、一度全ＬＥＤを点灯し、各パーツ毎に全点灯させた後、各コード情報（コード／時間／出力ＣＨ及び治療時間）を表示する。コード情報は前回の電源ＯＦＦ前の設定とする。同時に起動音を鳴動させる。
【００７３】
次いでステップＳ１０２において、操作・表示パネル１６がＯＮされ、各設定スイッチ群１６Ｂによる治療コード設定が可能な状態となる。
【００７４】
ステップＳ１０３では、出力チャネル選択スイッチ１６Ｂ２を操作して出力ドライブ２６Ａ、２６Ｂを順次選択すると共に出力モードを選定してから、その選択コード毎にコード設定ダイヤル１６Ｂ３によりコード値表示部１６Ｃ４を見ながら４桁の治療コードを設定する（出力ドライブ２６Ａのみについて、治療コードを設定してもよい）。
【００７５】
次のステップＳ１０４で、レコードスイッチ１６Ｂ４により設定を登録し変更を終了する。これによって、コードグループ電圧波形読出し手段４８が作動され、コード別対応周波数順番記憶手段５７からの信号に基づいて、波形メモリ２２における波形記憶領域２２−１〜２２−Ｎのいずれかから１つずつの周波数の波形を、第１、第２、・・・第ｎ周波数の電圧波形としてそのデータを、記憶された順番に基づいて読み出すことが可能な状態となる。
【００７６】
設定されているコードを変更する場合を、図９に例示する。コード番号は０１から１１までの１１種類を設定可能である。
【００７７】
まず、図９（Ａ）に示す如く、現在のコード情報（図では、例えば前回の治療で用いたコード番号０１、出力ＣＨ２、コード値０００５、時間０３６分）が残っていて、これを確認する。変更の必要がなければ、次のコード番号０２の設定に移る。
【００７８】
まずＮｏアップダウンスイッチ１６Ｃ１によりコード番号を変更する。図９（Ｂ）では０１→０２に変更するが、出力ＣＨ、コード値及び時間は前回治療で用いたＣＨ２、００２１、０２７が残っている。
【００７９】
次いで、ＳＥＴスイッチ１６Ｂ１を押すことにより、図９（Ｃ）に示す如く、ＮＯ、ＣＯＤＥ、ＴＩＭＥの各ＬＥＤ及び出力ＣＨ表示部１６Ｃ３が点滅し、変更可能状態になる。ここでコード設定ダイヤル１６Ｂ３を回転してコード値を変更する。
【００８０】
次いで、図９（Ｄ）に示す如く、出力ＣＨ選択スイッチ１６Ｂ２にてＣＨ出力を変更（ＣＨ１／ＣＨ２、ＣＨ１，２同時）する。図９（Ｄ）はコード値を「０００５」に変更し、出力ＣＨをＣＨ１，２同時にした例である。時間はコード値とセットになっているので「０００５」に対応した「０３６」が表示される。
【００８１】
次いで、図９（Ｅ）に示す如く、レコードスイッチ１６Ｂ４を押すことにより設定を登録し、点滅→点灯に変わって変更が終了する。
【００８２】
次に、コード番号０３を選択したとき、前回使用されなかった未登録のコードを設定する場合を図１０に示す。
【００８３】
まず、図１０（Ａ）に示す如く、未登録の番号は「−−−−」と表示されている。ここでＳＥＴスイッチ１６Ｂ１を押すことにより変更可能状態となる。登録は、前記変更時と同じ動作で行う。
【００８４】
即ち、図１０（Ｂ）に示す如く、コード設定ダイヤル１６Ｂ３にてコード値を変更し、出力ＣＨ選択スイッチ１６Ｂ２にてＣＨ出力を変更（ＣＨ１／ＣＨ２、ＣＨ１，２同時）する。
【００８５】
図１０（Ｃ）はコード値を「００１７」に登録し、出力ＣＨをＣＨ１，２同時にした例である。
【００８６】
次いで、図１０（Ｄ）に示す如く、レコードスイッチ１６Ｂ４を押すことにより設定を登録し、点滅→点灯に変わって登録が終了する。
【００８７】
又、１つの対象コードの登録を削除する場合を図１１に示す。
【００８８】
この場合には、図１１（Ａ）に示す如く、Ｎｏアップダウンスイッチ１６Ｃ１で削除したいコード番号（例えば「０３」）を選択後、ＳＥＴスイッチ１６Ｂ１を押して変更可能状態とする。
【００８９】
次いで、図１１（Ｂ）に示す如く、変更可能状態（点滅）でクリアスイッチ１６Ｂ５を、例えば３秒長押しにて登録解除する。
【００９０】
次いで、図１１（Ｃ）に示す如く、レコードスイッチ１６Ｂ４を押すことにより設定を登録し、削除が終了する。
【００９１】
終了状態を図１１（Ｄ）に示す。そのままコード設定ダイヤル１６Ｂ３で新しいコード入力も可能である。
【００９２】
又、１から新しくコードを入力するときのように、全てのコードの登録を一括削除する場合を図１２に示す。
【００９３】
この場合には、図１２（Ａ）に示す如く、クリアスイッチ１６Ｂ５を、例えば３秒長押しにて登録を解除する。
【００９４】
これにより、図１２（Ｂ）に示す如く、登録されている全てのコードが解除される。
【００９５】
図７のステップＳ１０４終了後、次のステップＳ１０５でスタート／一時停止スイッチ１６ＦをＯＮすることによって、次のステップＳ１０６において、第１周波数の電圧波形が選択され、波形メモリ２２における、例えば波形記憶領域２２−２に記憶された電圧波形が読み出される。この波形記憶領域２２−２には、連続して３分間分の電圧波形が記憶されているので、ステップＳ１０７において、第１周波数電圧波形にて、出力ドライブ２６Ａからアナログ出力が発生する。
【００９６】
ここで、周波数セット選択コード出力順・出力モード選択設定記憶手段５９に記憶されている今回の出力モードが出力チャネル２である場合には出力ドライブ２６Ｂからアナログ出力が発生し、交互出力モードが記憶されている時には出力ドライブ２６Ａと２６Ｂで交互に出力を発生し、同時出力モードが記憶されている時には、両方の出力ドライブ２６Ａと２６Ｂから同時に出力を発生する。同時に出力を発生する場合には、２人に同時出力したり、１人に２つの出力を同時に加えて、例えばクロスにより２つの出力を干渉させることもできる。
【００９７】
パルスが発生してから直ちに、次のステップＳ１０８において、操作・表示パネル１６における出力表示部１６Ｈに示される出力強度を、同じく操作・表示パネル１６の出力増減スイッチ１６Ｇの操作によって例えば、患者に接触した電極パッドの部分で痛みが発生しない程度に出力強度を調節する。
【００９８】
第１周波数の電圧波形に対応するアナログ出力は３分間続くが、途中で、何らかの不具合により、治療を中断する場合は、ＩＲリモコン送信器１８により、リモコンスタート／一時停止スイッチ１８Ｆを作動させると、これが中断スイッチとなり、ステップＳ１０９においてＹｅｓが選択され、ステップＳ１１１においてアナログ出力ゼロに戻される。同時にスピーカー３６Ｃから「一時中断します」等の告知音声が出力される。
【００９９】
又、その３分間の間に、中断スイッチがＯＮされない場合は、ステップＳ１０９においてＮｏとなり、ステップＳ１１０に至り、アナログ出力発生時間３分後に出力ゼロに戻る。
【０１００】
一方、中断スイッチＯＮにより出力ゼロに戻された後、リモコンスタート／一時停止スイッチ１８ＦをＩＲリモコン送信器１８により作動させると、これが再スタートスイッチＯＮとなり、ステップＳ１１２におけるＹｅｓが選択され、ステップＳ１０７に戻る。Ｎｏであれば、ステップＳ１１２に戻る。
【０１０１】
ステップＳ１１０終了後、次のステップＳ１１３で、次の第２周波数電圧波形を選択する。次のステップＳ１１４においては、ステップＳ１１３で選択された第２周波数電圧波形にて、アナログ出力が発生する。
【０１０２】
第１周波数電圧波形の場合と同様に、ステップＳ１１５において出力強度を調節し、ステップＳ１１６において中断スイッチＯＮか否かを判定し、Ｙｅｓであれば、ステップＳ１１７に進み、ステップＳ１１１とＳ１１２を繰返した後、ステップＳ１１３に戻る。
【０１０３】
ステップＳ１１６において中断スイッチＯＮがＮｏであれば、ステップＳ１１８に進み、第２周波数電圧波形によりアナログ出力発生から３分後に出力ゼロに戻る。次のステップＳ１１９では、以後第３〜第ｎ周波数につき、上記ステップＳ１０６からステップＳ１１２を繰返して、第ｎ周波数について３分間のアナログ出力発生後、ステップＳ１２０に進む。
【０１０４】
ステップＳ１２０では、周波数セット選択コード出力順・出力モード選択設定記憶手段５９に次の治療コードが設定・記憶されているか否かが判定され、ＮｏであればステップＳ１２４に進み、終了ランプ／ブザーＯＮ、即ち、告知音出力系３６におけるスピーカー３６Ｃから治療が終了したことが、患者に知らされて、患者又は補助者が、電源スイッチ１６ＡをＯＦＦとすることによって、ステップＳ１２５において終了する。
【０１０５】
出力ＣＨ選択スイッチ１６Ｂ２により、出力ドライブ２６Ｂについて、次の治療コードの出力が設定・記憶されている場合は、ステップＳ１２０での判定結果がＹｅｓとなり、ステップＳ１２１でパッド貼付位置を変更する必要があるか否か判定する。判定結果がＹｅｓである場合は、ステップＳ１２２に進み、パッド貼付位置を変更する。
【０１０６】
ステップＳ１２２終了後、又は、ステップＳ１２１の判定結果がＮｏである場合には、ステップＳ１２３に進み、前記次の治療コードについて、上記ステップＳ１０６からＳ１１９が繰返され、その終了後にステップＳ１２０に戻る。
【実施例２】
【０１０７】
次に、携帯型とした本発明の実施例２について図面を参照して詳細に説明する。
【０１０８】
図１３（ブロック図）及び図１４（外観を示す正面図）に示されるように、本発明の実施例２に係る周波治療器７０は、患部を間にして人体に接触可能な１対の電極パッド７２、７２と、この対をなす電極パッド７２、７２間に規則的に反復される時間間隔で向きを逆転し、交互に正側及び負側に電圧が増減する電圧波形の電流を流すようにされた本体装置部８０と、この本体装置部８０に接続され、前記電極パッド７２、７２間に印加される電圧の大小やコードを表示する表示部７６Ａ、前記本体装置部８０を操作するためのパネル操作スイッチ部７６Ｂを含む操作・表示パネル７６と、本体装置部８０に内蔵されるバッテリ９０と、を備えて構成されている。
【０１０９】
本体装置部８０は、周波数が異なる複数の電圧波形が記憶された波形メモリ８２と、この波形メモリ８２に記憶された複数種類の電圧波形を順次読み出して、その電圧波形の電流を、対をなす電極パッド７２、７２間に流すようにされた中央制御装置（以下ＣＰＵ）１００と、を備えている。
【０１１０】
波形メモリ８２は、いわゆる音源メモリであり、前述したように、電圧波形を、複数種類の周波数における各周波数毎に、サンプリング周波数が１９２ｋＨｚ以上、量子化ビット数が２４ビット以上で形成された波形データとして記憶している。
【０１１１】
ＣＰＵ１００は、波形メモリ８２から１種類の周波数毎に波形データを読み出して、その１種類の周波数につき予め設定された時間の間、波形データをＤ／Ａコンバータ８４に出力することにより、ここでアナログ波形に変換して、電圧波形の電流を電極パッド７２、７２間に流すように構成されている。
【０１１２】
本体装置部８０は、前記の波形メモリ８２及びＤ／Ａコンバータ８４の他に、出力ドライブ８６、アラーム９６、マイナス電圧制御部９８を備えている。
【０１１３】
Ｄ／Ａコンバータ８４は、ＣＰＵ１００が波形メモリ８２から、サンプリング周波数が１９２ｋＨｚ以上、量子化ビット数が２４ビット以上で読み出した波形データをＤ／Ａ変換して、アナログ波形で出力ドライブ８６に出力するようにされている。
【０１１４】
出力ドライブ８６は、バッテリ９０からの出力を、前記のアナログ波形に基づいて変化させて、電極パッド７２、７２に各々出力するようにされている。
【０１１５】
ＣＰＵ１００は、パネル操作スイッチ部７６Ｂからの指令信号に応じた出力が出力ドライブ８６から出力されるように制御する。
【０１１６】
プログラムメモリ９４には、ＣＰＵ１００を動作させるためのプログラムが内蔵されている。アラーム９６は、治療が終了したときその他の、患者に知らせるべき状態が発生した時に、アラームを発生するように構成されている。
【０１１７】
マイナス電圧制御部９８は、前述のように電圧波形における０ボルトレベルを、波形図における中間位置から、最大電圧の５％−１０％をプラス側にオフセットさせることにより、電極パッド７２、７２から人体に入り込む電子の量が、体外に流出する電子の量よりも多くなるようにして、電子不足による人体への影響を抑制するものである。ここで、５％以上としたのは、電源電圧の変動があっても、人体の電子不足を抑制でき、１０％以下としたのは、電子過剰を抑制するためである。
【０１１８】
操作・表示パネル７６における表示部７６Ａは、図１４に示されるように、コード番号やコード値及び治療の残時間を表示する数値表示部７７Ａ、及び、出力を表示するグラフ表示部７７Ｂを含んで構成されている。
【０１１９】
パネル操作スイッチ部７６Ｂには、電源スイッチ７７Ｄ、及び、治療開始／一時停止／再開のためのスタート／一時停止スイッチ７７Ｅ、及び、出力ドライブ８６からの出力強度を増減すると共にコード番号やコード値を設定するアップダウン設定スイッチ７７Ｆが配置されている。
【０１２０】
図１４の符号７２Ａは、電極パッド７２のプラグ７２Ｂを差し込むためのジャックを示す。
【０１２１】
次に、ＣＰＵ１００の構成及び波形メモリ８２について説明する。
【０１２２】
ＣＰＵ１００は、図１５に示されるように、表示信号出力手段１０１と、操作スイッチ信号受付手段１０２と、周波数セット選択コード信号受付手段１０４と、操作信号受付手段１０５と、コード表示信号出力手段１０７と、コードグループ電圧波形読出し手段１０８と、電圧波形出力手段１０９と、電源ＯＮ／ＯＦＦ手段１１１と、マイナス電圧制御手段１１２と、操作スイッチ信号記憶手段１１３と、操作信号記憶手段１１４と、読出し電圧波形記憶手段１１６と、コード別対応周波数順番記憶手段１１７と、周波数セット選択コード信号記憶手段１１８と、出力中周波数記憶手段１２０と、を備えて構成されている。
【０１２３】
表示信号出力手段１０１は、操作・表示パネル７６におけるアップダウン設定スイッチ７７Ｆにより操作された出力強度及びコード番号やコード値を表示部７６Ａの数値表示部７７Ａ及びグラフ表示部７７Ｂに表示させるものである。
【０１２４】
操作スイッチ信号受付手段１０２は、操作・表示パネル７６のパネル操作スイッチ部７６Ｂからの操作信号を受付けるように構成されている。又、この受付けられた信号は、操作スイッチ信号記憶手段１１３に記憶されるようになっている。
【０１２５】
操作信号受付手段１０５は、パネル操作スイッチ部７６Ｂから送信された操作信号を受付けるものであり、受付けられた操作信号、具体的には出力強度信号及び前述のコード番号信号は、操作信号記憶手段１１４に記憶されるようになっている。
【０１２６】
コード表示信号出力手段１０７は、操作スイッチ信号記憶手段１１３に記憶された表示信号に基づいて、入力されたコード番号を表示部７６Ａに表示するように構成されている。
【０１２７】
ここで、コード別対応周波数順番記憶手段１１７には、コードに対応して、コード毎に、該コードに含まれるとして、予め決められている複数の周波数及びその出力順が記憶されている。例えば前出表１に示されるように、周波数セット選択コードと第１〜第ｎ周波数（ｎは２以上の自然数）が組合せて記憶されている。具体的には、コード番号１２３１については、２０Ｈｚ、８８０Ｈｚ、５ｋＨｚ、・・・、１０ｋＨｚが、この順で記憶されている。
【０１２８】
コードグループ電圧波形読出し手段１０８は、入力されたコード信号及びコード別対応周波数順番記憶手段１１７に記憶された情報に基づいて、該コードに含まれる複数の周波数の電圧波形を、波形メモリ８２から順に読み出すように構成されている。
【０１２９】
電圧波形出力手段１０９は、コードグループ電圧波形読出し手段１０８によって読み出された周波数の電圧波形のデータを、Ｄ／Ａコンバータ８４に出力するようにされている。
【０１３０】
又、電源ＯＮ／ＯＦＦ手段１１１は、電源スイッチ７７Ｄの操作に従って、出力ドライブ８６へのバッテリ９０の出力をＯＮ／ＯＦＦするようにされている。
【０１３１】
出力中周波数記憶手段１２０は、電圧波形出力手段１０９から現在出力されている波形データにおける周波数を記憶するようにされている。
【０１３２】
又、操作スイッチ信号受付手段１０２は、周波治療器７０による治療中に、治療を中断する中断信号が入力された時、バッテリ９０から出力ドライブ８６への出力をＯＦＦとして、出力ドライブ８６からの電流供給を中断するように構成されている。
【０１３３】
又、この時、コードグループ電圧波形読出し手段１０８は、出力中周波数記憶手段１２０に記憶された、中断時の周波数情報を読み出して、中断から治療に戻った時に、該周波数の電圧波形を読み出すように構成されている。
【０１３４】
波形メモリ８２には、Ｎ（Ｎは２以上の自然数）個の波形記憶領域８２−１〜８２−Ｎが設けられていて、且つ、この実施例における周波治療器７０で用いる治療周波数はＮ種類であり、このＮ種類の周波数の電圧波形は１種類毎に波形記憶領域８２−１〜８２−Ｎのいずれかに記憶されている。
【０１３５】
他の点については実施例１と同様であるので、詳細な説明は省略する。
【０１３６】
なお、上記実施例１において、波形メモリ２２における各波形記憶領域２２−１〜２２−Ｎには３分間連続して電圧波形が記憶されているが、本発明はこれに限定されるものでなく、波形メモリ２２の電圧波形記憶容量が充分でない場合等には、設定時間（実施例では３分間）を２等分あるいは３等分した時間分だけ電圧波形を記憶しておき、１回の設定時間で、２回あるいは３回電圧波形を読み出して用いるようにしてもよい。図１６は３分間を３等分して、１分間ずつの３回電圧波形を読み出すようにしている場合を示す。
【０１３７】
また、上記実施例において、サンプリング周波数は１９２ｋＨｚ、量子化ビット数が２４ビットとされているが、これは波形メモリにいわゆる音源チップを用いていて、その上限が１９２ｋＨｚ、２４ビットであり、更に、１９２ｋＨｚ及び２４ビットを越える場合にも、本発明は適用されるものである。
【符号の説明】
【０１３８】
１０、７０…周波治療器
１２、１４、７２…電極パッド
１２Ａ…ジャック（第１出力チャネル）
１４Ａ…ジャック（第２出力チャネル）
１６、７６…操作・表示パネル
１６Ａ、７７Ｄ…電源スイッチ
１６Ｂ…各設定スイッチ群
１６Ｂ１…セット（ＳＥＴ）スイッチ
１６Ｂ２…出力チャネル（ＣＨ）選択スイッチ
１６Ｂ３…コード設定ダイヤル
１６Ｂ４…レコード（ＲＥＣＯＲＤ）スイッチ
１６Ｂ５…クリア（ＣＬＥＡＲ）スイッチ
１６Ｃ…コード情報表示部
１６Ｃ１…Ｎｏアップダウンスイッチ
１６Ｃ２…コード番号表示部
１６Ｃ３…出力ＣＨ表示部
１６Ｃ４…コード値表示部
１６Ｃ５…コード時間表示部
１６Ｄ…残り治療時間表示部
１６Ｅ…電流表示部
１６Ｆ、７７Ｅ…スタート／一時停止スイッチ
１６Ｇ…出力増減スイッチ
１６Ｈ…出力表示部
１６Ｉ…出力中表示ＬＥＤ
１７…ＩＲリモコン受信部 
１８…ＩＲリモコン送信器
１８Ｆ…リモコンスタート／一時停止スイッチ
１８Ｇ…リモコン出力増減スイッチ
２０、８０…本体装置部
２２、８２…波形メモリ
２２−１〜２２−Ｎ、８２−１〜８２−Ｎ…波形記憶領域
２２−Ａ…余り記憶領域
２４、８４…Ｄ／Ａコンバータ
２６…出力ドライブセット
２６Ａ、２６Ｂ、８６…出力ドライブ
２８…スイッチング電源アダプタ
３０…ＤＣ／ＤＣコンバータ
３２…レギュレータ
３４、９４…プログラムメモリ
３６…告知音出力系
３６Ａ、８４…Ｄ／Ａコンバータ
３６Ｂ…アンプ
３６Ｃ…スピーカー
３８、９８…マイナス電圧制御部
４０、１００…中央制御装置（ＣＰＵ）
４１、１０１…表示信号出力手段
４２、１０２…操作スイッチ信号受付手段
４３…出力チャネル選択信号受付手段
４４、１０４…周波数セット選択コード信号受付手段
４５、１０５…操作信号受付手段
４６…周波数セット選択コード出力順・出力モード選択設定受付手段
４７、１０７…コード表示信号出力手段
４８、１０８…コードグループ電圧波形読出し手段
４９、１０９…電圧波形出力手段
５０…ＤＣ／ＤＣコンバータ駆動手段
５１、１１１…電源ＯＮ／ＯＦＦ手段
５２、１１２…マイナス電圧制御手段
５３、１１３…操作スイッチ信号記憶手段
５４、１１４…操作信号記憶手段
５５…出力チャネル選択信号記憶手段
５６、１１６…読出し電圧波形記憶手段
５７、１１７…コード別対応周波数順番記憶手段
５８、１１８…周波数セット選択コード信号記憶手段
５９…周波数セット選択コード出力順・出力モード選択設定記憶手段
６０、１２０…出力中周波数記憶手段
７６Ａ…表示部
７６Ｂ…パネル操作スイッチ部
７７Ａ…数値表示部
７７Ｂ…グラフ表示部
７７Ｆ…アップダウン設定スイッチ
９０…バッテリ
９６…アラーム
９８…マイナス電圧制御部
【図１】
2019042045.tif 000004
【図２】
2019042045.tif 000005
【図３】
2019042045.tif 000006
【図４】
2019042045.tif 000007
【図５】
2019042045.tif 000008
【図６】
2019042045.tif 000009
【図７】
2019042045.tif 000010
【図８】
2019042045.tif 000011
【図９】
2019042045.tif 000012
【図１０】
2019042045.tif 000013
【図１１】
2019042045.tif 000014
【図１２】
2019042045.tif 000015
【図１３】
2019042045.tif 000016
【図１４】
2019042045.tif 000017
【図１５】
2019042045.tif 000018
【図１６】
2019042045.tif 000019